(57)【特許請求の範囲】
【請求項１】
原稿を搬送経路に沿って搬送する搬送部と、
前記搬送経路に沿って一方の側に設置され、前記原稿の一方の面に対して光を照射する第１光源と、前記原稿の一方の面で反射された光を受光して読取画像信号を出力する第１受光素子と、を有する第１読取部と、
前記第１読取部より前記搬送経路上の下流側に位置し、前記搬送経路に沿って他方の側に設置され、前記原稿の他方の面に対して光を照射する第２光源と、前記原稿の他方の面で反射された光を受光して読取画像信号を出力する第２受光素子と、を有する第２読取部と、
を備え、
前記第１受光素子と前記第２受光素子の少なくとも一方が、他の光源が照射する光の影響を受ける位置に配置され、
更に、
前記原稿の両面を読み取る場合は、前記第１光源と第２光源の両方を点灯させ、前記搬送経路に沿う方向における前記原稿の先端と後端の少なくとも一方が第１読取部と第２読取部との間に存在する第１状態では、前記原稿の先端が前記第２読取部よりも下流側に位置し、前記原稿の後端が前記第１読取部よりも上流側に位置する第２状態よりも、前記第１光源及び第２光源から照射される光量を減らすように前記第１光源及び第２光源を制御する光源制御部と、
を備える画像読取装置。
【請求項２】
請求項１に記載の画像読取装置であって、
前記第１状態において前記第１光源及び前記第２光源から照射される光量は、各受光素子に対向する位置に配置された白部材に対して、前記第１光源と第２光源を同時に点灯させて調整された光量であり、
前記第２状態において前記第１光源及び前記第２光源から照射される光量は、各受光素子に対向する位置に配置された白部材に対して、前記第１光源と第２光源を別々に点灯させて調整された光量である画像読取装置。
【請求項３】
請求項２に記載の画像読取装置であって、
前記第１受光素子及び第２受光素子は、各々最大受光量が設定されているとともに、各々複数個の読取素子を有し、各読取素子を用いて前記白部材で反射された光を受光しており、
各状態において前記第１光源及び前記第２光源から照射される光量は、各受光素子における前記読取素子の受光量の最大値が前記最大受光量を超えない範囲において、最も大きくなる光量に調整されている画像読取装置。
【発明の詳細な説明】
【技術分野】
【０００１】
本発明は、画像読取装置において、原稿に照射される光量を調整する技術に関する。
【背景技術】
【０００２】
従来から、搬送経路を搬送される原稿の両面を読み取る画像読取装置が知られている。例えば、搬送経路の上流側に載置され原稿の一方の面を読み取る読取部と、搬送経路の下流側に載置され原稿の他方の面を読み取る読取部が、搬送経路を介して逆側に配置されていることがある（例えば、特許文献１）。この装置では、一方の読取部の光源から照射された光が、他方の読取部の受光素子によって受光されることがある。そのため、原稿の両面を読み取る際に、一方の読取部の光源から照射された光が、他方の読取部の読取結果に影響を及ぼし、読取結果にムラが生じることがあった。
【０００３】
従来技術では、原稿の両面を読み取る際に、両読取部の読み取りが完全に終了するまで、両読取部の光源からの光の照射を維持する。これによって、搬送経路上流側の読取部の読み取りが終わった際に、搬送経路下流側の読取部の読み取りを実行しているにも関わらず上流側読取部の光源からの光の照射を停止する場合と異なり、読取部が原稿を読み取る期間に亘って両光源から照射される光量を一定に維持することができた。
【先行技術文献】
【特許文献】
【０００４】
【特許文献１】特開２００４−２５４３４０号公報
【発明の概要】
【発明が解決しようとする課題】
【０００５】
しかし、搬送経路上流側の読取部の読み取りが終わった後、搬送経路下流側の読取部の読み取りを実行している場合、原稿は搬送経路下流側の読取部を覆っている一方、搬送経路上流側の読取部を覆っていないことから、搬送経路上流側の読取部の光源から照射された光は、搬送経路下流側の読取部の受光素子によって受光されることとなる。この結果、両読取部が読み取りを実行しており、原稿が両読取部を覆っている場合に比べて、搬送経路下流側の読取部の受光素子が受光する光量が増加してしまい、読取結果にムラが生じてしまうことを防止することができない。同様の問題が、搬送経路上流側の読取部の読み取りを実行しており、搬送経路下流側の読取部の読み取りを開始していない場合における搬送経路上流側の読取部の受光素子についても発生する。
【０００６】
本明細書では、原稿の両面を読み取り可能な画像読取装置において、原稿に照射される光量を調整する技術を開示する。
【課題を解決するための手段】
【０００７】
本明細書によって開示される画像読取装置は、原稿を搬送経路に沿って搬送する搬送部と、前記搬送経路に沿って一方の側に設置され、前記原稿の一方の面に対して光を照射する第１光源と、前記原稿の一方の面で反射された光を受光して読取画像信号を出力する第１受光素子と、を有する第１読取部と、前記第１読取部より前記搬送経路上の下流側に位置し、前記搬送経路に沿って他方の側に設置され、前記原稿の他方の面に対して光を照射する第２光源と、前記原稿の他方の面で反射された光を受光して読取画像信号を出力する第２受光素子と、を有する第２読取部と、を備え、前記第１受光素子と前記第２受光素子の少なくとも一方が、他の光源が照射する光の影響を受ける位置に配置され、更に、前記原稿の両面を読み取る場合は、前記第１光源と第２光源の両方を点灯させ、前記搬送経路に沿う方向における前記原稿の先端と後端の少なくとも一方が第１読取部と第２読取部との間に存在する第１状態では、前記原稿の先端が前記第２読取部よりも下流側に位置し、前記原稿の後端が前記第１読取部よりも上流側に位置する第２状態よりも、前記第１光源及び第２光源から照射される光量を減らすように前記第１光源及び第２光源を制御する光源制御部と、を備える。
【０００８】
また、上記の画像読取装置では、前記第１状態において前記第１光源及び前記第２光源から照射される光量は、各受光素子に対向する位置に配置された白部材に対して、前記第１光源と第２光源を同時に点灯させて調整された光量であり、前記第２状態において前記第１光源及び前記第２光源から照射される光量は、各受光素子に対向する位置に配置された白部材に対して、前記第１光源と第２光源を別々に点灯させて調整された光量である構成としても良い。
【０００９】
また、上記の画像読取装置では、前記第１受光素子及び第２受光素子は、各々最大受光量が設定されているとともに、各々複数個の読取素子を有し、各読取素子を用いて前記白部材で反射された光を受光しており、各状態において前記第１光源及び前記第２光源から照射される光量は、各受光素子における前記読取素子の受光量の最大値が前記最大受光量を超えない範囲において、最も大きくなる光量に調整されている構成としても良い。
【００１０】
また、上記の画像読取装置では、前記第１受光素子及び第２受光素子は、最大受光量が設定されているとともに、各々複数個の読取素子を有し、各読取素子を用いて前記原稿で反射された光を受光しており、前記第１状態において前記第１光源及び前記第２光源から照射される光量は、前記第１受光素子及び第２受光素子における前記読取素子の受光量の平均値が前記最大受光量を超えない範囲において、最も大きくなる光量に調整されている構成としても良い。
【発明の効果】
【００１１】
本明細書によって開示される画像読取装置では、原稿の先端と後端の少なくとも一方が第１読取部と第２読取部との間に存在し、第１読取部と第２読取部の少なくとも一方の光源から照射される光が原稿で覆われていない第１状態における第１光源及び第２光源の光量を、原稿の先端と後端のいずれもが第１読取部と第２読取部との間に存在せず、第１読取部と第２読取部のいずれの光源から照射される光が原稿で覆われている第２状態における第１光源及び第２光源の光量よりも減らすように制御する。この画像読取装置によれば、第１読取部と第２読取部が搬送経路に沿って逆側に配置され、原稿で覆われていない読取部の光源から照射される光が、逆側に配置された読取部の受光素子で受光される場合であっても、第１状態と第２状態において受光素子が受光する光量に差が生じることを抑制することができ、読取画像信号にムラが発生することが抑制される。
【図面の簡単な説明】
【００１２】
【図１】画像読取装置１の斜視図
【図２】画像読取装置１の概略的な断面図
【図３】読取部２４の構造を説明するための図
【図４】画像読取装置１の電気的構成を概略的に示すブロック図
【図５】読取処理を示すフローチャート
【図６】光量調整処理を示すフローチャート
【図７】第２状態Ｚ２における光量調整処理を示すフローチャート
【図８】実施形態１の第１状態Ｚ１における光量調整処理を示すフローチャート
【図９】第１状態Ｚ１を示す図
【図１０】第２状態Ｚ２を示す図
【図１１】第１状態Ｚ１及び第２状態Ｚ２における光源３１、４１の点灯時間Ｔを示す図
【図１２】実施形態２の第１状態Ｚ１における光量調整処理を示すフローチャート
【発明を実施するための形態】
【００１３】
＜実施形態１＞
実施形態１を、図１ないし図１１を用いて説明する。
【００１４】
１．画像読取装置の機械的構成
図１は、本実施形態の画像読取装置１の外観を示す斜視図であり、図２は画像読取装置１の概略的な内部構成図である。以下の説明では、紙面左側を装置前端側とし、紙面右側を装置後端側として説明を行う。画像読取装置１は、給紙トレイ２と、本体部３と、排紙トレイ４と、を含む。本実施形態の画像読取装置１は、ユーザにより給紙トレイ２に載置された複数の原稿Ｇを排紙トレイ４に搬送するとともに、搬送中の原稿Ｇを本体部３に含まれる読取部２４（図２参照）を用いて読み取るシートフィードスキャナである。なお、原稿Ｇは、シートの一例であり、紙やＯＨＰシートなどでもよい。
【００１５】
給紙トレイ２は、前側が下方に傾斜した状態で、本体部３の後側に設けられている。給紙トレイ２の左右の両端部には、ガイド７Ａ、７Ｂが左右方向に移動可能に設けられている。画像読取装置１では、ユーザによりガイド７Ａ、７Ｂが押し広げられ、又は押し狭められることにより、ガイド７Ａ、７Ｂの間の距離が原稿Ｇの幅と等しく調整され、給紙トレイ２のガイド７Ａ、７Ｂの間に原稿Ｇが載置される。
【００１６】
図２に示すように、本体部３の内部には、給紙トレイ２の前端から排紙トレイ４の後端まで延びる搬送経路２２が設けられており、この搬送経路２２の周辺に、ピックアップローラ２０と、分離パッド２１と、フィードローラ２３と、読取部２４と、排出ローラ２５と、フロントセンサ２６と、リヤセンサ２７とが設けられている。
【００１７】
ピックアップローラ２０は、給紙トレイ２の前側に配置され、摩擦力により、給紙トレイ２に載置された１または複数枚の原稿Ｇを本体部３の内部へと引き込む。分離パッド２１は、ピックアップローラ２０に対向するように配置され、摩擦力により、複数枚の原稿Ｇを１枚ずつ分離する。これにより、原稿Ｇが１枚ずつ本体部３の内部へと搬送される。
【００１８】
フィードローラ２３は、ピックアップローラ２０等よりも搬送経路２２の下流側に設けられ、図示しないモータにより駆動されるとともに、本体部３の内部へと引き込まれた原稿Ｇを搬送経路２２に沿って搬送する。読取部２４は、フィードローラ２３よりも搬送経路２２の下流側に設けられ、フィードローラ２３によって搬送経路２２に沿って搬送される原稿Ｇを読み取る。
【００１９】
排出ローラ２５は、読取部２４よりも搬送経路２２の下流側に設けられ、読取部２４にて画像読取処理がされた原稿Ｇを排紙トレイ４に送り出す。排出トレイ２４は、前側が下方に傾斜した状態で、本体部３の前側に設けられ、排出ローラ２５により送り出された原稿Ｇが積層される。つまり、ピックアップローラ２０とフィードローラ２３と排出ローラ２５とによって、給紙トレイ２に載置された原稿Ｇを搬送経路２２に沿って搬送する搬送部２８が形成されている。搬送部２８では、ピックアップローラ２０とフィードローラ２３と排出ローラ２５とが、図示しない共通のモータにより連動して回転して原稿Ｇを搬送している。
【００２０】
フロントセンサ２６は、給紙トレイ２の前端側に設けられ、給紙トレイ２上に配置されている原稿Ｇの有無を検知し、その検知結果に応じた検知信号ＳＧ１を出力する。リヤセンサ２７は、フィードローラ２３よりも搬送経路２２の下流側に設けられ、搬送経路２２の位置Ｐ１（図３参照）における原稿Ｇの有無を検知し、その検知結果に応じた検知信号ＳＧ２を出力する。なお、フロントセンサ２６及びリヤセンサ２７は、例えば、圧力センサなどの接触式センサでも、光学センサや磁気センサなどの非接触式センサでもよい。
【００２１】
図３は読取部２４の概略的な構成図である。読取部２４は、リヤセンサ２７よりも搬送経路２２の下流側に設けられ、搬送経路２２を挟んで対向して配置された一対のＣＩＳ３０、４０を含んで構成される。一対のＣＩＳ３０、４０は、搬送経路２２を挟んで配置されているとともに、お互いに相対移動不能に設けられている。図３に示すように、ＣＩＳ（第１読取部の一例）３０は、搬送経路２２に沿って下側（一方の側の一例）に配置されており、プラテンガラス３４の表面３４Ａ側を通過する原稿Ｇの表面（一方の面の一例）の画像を読み取る。ＣＩＳ（第２読取部の一例）４０は、図３に矢印３７で示す搬送方向においてＣＩＳ３０より搬送経路２２上の下流側に位置している。ＣＩＳ４０は、搬送経路２２に沿って上側（他方の側の一例）に配置されており、プラテンガラス４４の表面４４Ａ側を通過する原稿Ｇの裏面（他方の面の一例）の画像を読み取る。
【００２２】
ＣＩＳ３０は、上記プラテンガラス３４の他、光源（第１光源の一例）３１と、受光部（第１受光素子の一例）３２、ロッドレンズアレイ３６がキャリッジ３５に搭載された構成とされている。光源３１は、発光ダイオードなどを備えて構成され、受光部３２は、図示しない複数の受光素子が図３の紙面垂直方向に直線状に配列されて構成されている。なお、ＣＩＳ４０の構造はＣＩＳ３０の構造と基本的に同じものであり、重複した説明を省略する。プラテンガラス３４の裏面３４Ｂには、ＣＩＳ４０の受光部（第２受光素子の一例）４２に対向する位置に白基準板３３が配置されており、プラテンガラス４４の裏面４４Ｂには、ＣＩＳ３０の受光部３２に対向する位置に白基準板３３が配置されている。
【００２３】
光源３１は、プラテンガラス３４を介して搬送経路２２を搬送される原稿Ｇ、または、ＣＩＳ４０の白基準板４３に光Ｌ１を照射する。受光部３２は、キャリッジ３５内において光源３１より下流側に配置されており、搬送経路２２において位置Ｐ１よりも下流側に設けられた位置Ｐ２における原稿Ｇ、または、ＣＩＳ４０の白基準板４３から反射される反射光Ｌ２（図３では、原稿Ｇからの反射光）を受光する。
【００２４】
また、光源４１（第２光源の一例）は、プラテンガラス４４を介して搬送経路２２を搬送される原稿Ｇ、または、ＣＩＳ３０の白基準板３３に光Ｌ３を照射する。受光部４２は、キャリッジ４５内において光源４１より下流側に配置されており、搬送経路２２において位置Ｐ２よりも下流側に設けられた位置Ｐ３における原稿Ｇ、または、ＣＩＳ４０の白基準板４３から反射される反射光Ｌ４（図３では、原稿Ｇからの反射光）を受光する。
【００２５】
搬送経路２２を搬送される原稿Ｇが、搬送経路２２の位置Ｐ２に存在しない場合、光源３１から照射される光Ｌ１は、白基準板４３に照射されるとともに、その一部がプラテンガラス４４を介して受光部４２に受光される。また、搬送経路２２を搬送される原稿Ｇが、搬送経路２２の位置Ｐ３に存在しない場合、光源４１から照射される光Ｌ３は、白基準板３３に照射されるとともに、その一部がプラテンガラス３４を介して受光部３２に受光される。つまり、読取部２４において、受光部４２は、光源３１が照射する光Ｌ１の影響を受ける位置に配置されているということができ、受光部３２は、光源４１が照射する光Ｌ３の影響を受ける位置に配置されているということができる。
【００２６】
白基準板３３及び白基準板４３は、白基準板に限らず灰色基準板などでもよく、また、図３に示すようにプラテンガラス３４，４４の裏面３４Ｂ、４４Ｂに配置される構成以外に、例えばプラテンガラス３４，４４に埋設された構成としても良い。図３に示すように、ＣＩＳ３０は、ＣＩＳ４０が有する白基準板４３を用いてシェーディング補正等に必要な白基準データを取得し、ＣＩＳ４０は、ＣＩＳ３０が有する白基準板３３を用いてシェーディング補正等に必要な白基準データを取得する。
【００２７】
また、図１に示すように、本体部３には、この他に、電源スイッチや各種設定ボタンからなり、ユーザからの操作指令等を受け付ける操作部５や、発光ダイオード等からなり、画像読取装置１の状況を表示する表示部６を含む。
【００２８】
２．画像読取装置の電気的構成
図４は、画像読取装置１の電気的構成を概略的に示すブロック図である。図４に示すように、画像読取装置１は、画像読取装置１の各部を制御するＡＳＩＣ（特定用途向け集積回路）１０を含む。ＡＳＩＣ１０は、中央処理装置（以下、ＣＰＵ）１１、ＲＯＭ１２、ＲＡＭ１３を備え、これらにバス１４を介してデバイス制御部１５、アナログフロントエンド（以下、ＡＦＥ）１６、駆動回路１７、ＣＩＳ３０、４０、搬送部２８、操作部５、表示部６、フロントセンサ２６、リヤセンサ２７などが接続されている。
【００２９】
ＲＯＭ１２には、画像読取装置１の動作を制御するための各種のプログラムが記憶されており、ＣＰＵ１１は、ＲＯＭ１２から読み出したプログラムに従って、光源制御部５０等として機能し、各部の制御を行う。駆動回路１７は、図示されないモータを駆動し、搬送部２８に含まれる各種ローラを駆動する。
【００３０】
デバイス制御部１５は、ＣＩＳ３０、４０に各々接続されており、ＣＰＵ１１からの命令に基づいて、光源３１、４１の点灯／消灯、及び点灯時間Ｔを制御する信号をＣＩＳ３０、４０に送信する。ＣＩＳ３０、４０は、デバイス制御部１５から信号を受け取ると、光源３１、４１を点灯し、点灯時間Ｔに亘って光源３１、４１を発光させる。その際、ＣＩＳ３０、４０は、ＣＰＵ１１からの命令に基づいて、搬送経路２２に沿って搬送される原稿Ｇ、または、白基準板３３、４３から反射される反射光を受光部３２、４２にて受光し、受光部３２、４２が受光した受光量に応じたアナログ信号である読取電圧（読取画像信号の一例）をＡＦＥ１６に出力する。ＣＩＳ３０、４０は、受光部３２、４２の各受光素子を用いて反射光を受光し、各受光素子が受光した受光量に応じた読取電圧を順次、ＡＦＥ１６に出力する。
【００３１】
ＡＦＥ１６は、ＣＩＳ３０、４０に各々接続されており、ＣＰＵ１１からの命令に基づいて、ＣＩＳ３０、４０から出力される読取電圧をデジタル信号である階調値（読取画像信号の別例）に変換するＡ／Ｄ変換回路を有している。ＡＦＥ１６は、予め定められた入力レンジ及び分解能（例えば、８ビットであるならば０から２５５の階調）を有している。ＡＦＥ１６は、ＣＩＳ３０、４０から出力された読取電圧を８ビット（０〜２５５）の階調値にＡ／Ｄ変換を行う。そして、ＡＦＥ１６によってＡ／Ｄ変換された階調値は、バス１４を介してＲＡＭ１３に記憶される。これによって、ＣＩＳ３０、４０の各受光素子を用いて読み取られた読取データである階調値がＲＡＭ１３に記憶される。
【００３２】
３．読取処理
次に、図５ないし図１１を参照して、読取部２４を用いて原稿Ｇを読み取る場合の、ＣＰＵ１１における処理について説明する。
【００３３】
図５は、ＣＰＵ１１が所定のプログラムに従って実行する実施形態１のフローチャートを示す。ＣＰＵ１１は、フロントセンサ２６によって画像読取装置１の給紙トレイ２に原稿Ｇが載置されたことが確認され、操作部５を介して原稿Ｇの両面を読み取る読取指示が入力されると、処理を開始する。ＣＰＵ１１は、処理を開始すると、まず、光源３１、４１の光量調整処理を実行する（Ｓ２）。
【００３４】
本実施形態の画像読取装置１では、図９または図１０に示すように、原稿Ｇを読み取る際に、搬送経路２２に沿って搬送される原稿Ｇが、搬送経路２２の位置Ｐ２、Ｐ３の一方のみに存在する状態、すなわち、矢印３７で示す原稿Ｇの搬送方向の先端と後端の少なくとも一方が位置Ｐ２、Ｐ３の間に存在する第１状態（図９参照）Ｚ１と、搬送経路２２の位置Ｐ２、Ｐ３の両方に存在する状態、すなわち、原稿Ｇの搬送方向の先端が位置Ｐ３よりも下流側に位置し、原稿Ｇの搬送方向の後端が位置Ｐ２よりも上流側に位置する第２状態（図１０参照）Ｚ２とで切り換わる。そのため、本実施形態では、第１状態Ｚ１と第２状態Ｚ２のそれぞれの状態において光源３１、４１の光量が調整される。
【００３５】
図６に示すように、光量調整処理において、ＣＰＵ１１は、まず、光源３１のみの点灯における光源３１の光量を調整する（Ｓ３２）。この調整は、光源４１を消灯させ、光源３１を点灯させた状態で行われ、光源３１のみの点灯における光源３１の点灯時間Ｔ１が決定される。
【００３６】
図７に示すように、光源３１の光量調整処理において、ＣＰＵ１１は、まず基準時間ＫＴ単位で短縮／延長が可能な光源３１の点灯時間Ｔを、最大時間Ｔｍａｘに設定する（Ｓ４２）。ＣＰＵ１１は、設定された点灯時間Ｔにおいて光源３１を点灯させ、受光部３２の各受光素子を用いて白基準板４３を１ライン読み取り、受光素子毎に白基準データを取得する（Ｓ４４）。ＣＰＵ１１は、取得された白基準データをＡＦＥ１５により階調値に変換し、各受光素子の階調値のうち、その階調値が最も大きくなる最大階調値ＷＫｍａｘをＡＦＥ１５の最大階調値（最大受光量の一例、８ビットの場合、２５５）Ｋｍａｘと比較する（Ｓ４６）。
【００３７】
ＣＰＵ１１は、白基準階調データの最大階調値ＷＫｍａｘがＡＦＥ１６の最大階調値Ｋｍａｘ以上である場合（Ｓ４６でＹＥＳ）、点灯時間Ｔを基準時間ＫＴだけ短縮し（Ｓ４８）、Ｓ４４からの処理を繰り返す。一方、ＣＰＵ１１は、白基準階調データの最大階調値ＷＫｍａｘがＡＦＥ１６の最大階調値Ｋｍａｘよりも小さい場合（Ｓ４６でＮＯ）、当該点灯時間Ｔを光源３１のみの点灯における光源３１の点灯時間Ｔ１としてＲＡＭ１３に記憶し（Ｓ５０）、当該処理を終了する。
【００３８】
次に、ＣＰＵ１１は、光源４１のみの点灯における光源４１の光量を調整する（Ｓ３４）。この調整は、光源３１を消灯させ、光源４１を点灯させた状態で行われる。なお、光源４１のみの点灯における光源４１の光量調整処理は、光源３１のみの点灯における光源３１の光量調整処理と基本的に同じ処理であり、重複した説明を省略する。この調整により、光源４１のみの点灯における光源４１の点灯時間Ｔ２がＲＡＭ１３に記憶される。
【００３９】
次に、ＣＰＵ１１は、光源３１及び光源４１の同時点灯における光源３１の光量を調整する（Ｓ３２）。この調整は、光源３１及び光源４１を同時に点灯させた状態、つまり、光源３１及び光源４１を同一の点灯時間Ｔで点灯させた状態で行われ、光源３１及び光源４１の同時点灯における光源３１の点灯時間Ｔ３が決定される。
【００４０】
図８に示すように、光量調整処理において、ＣＰＵ１１は、まず光源３１、４１の点灯時間Ｔを、最大時間Ｔｍａｘに設定する（Ｓ５２）。ＣＰＵ１１は、設定された点灯時間Ｔにおいて光源３１及び光源４１を点灯させ、受光部３２の各受光素子を用いて白基準板４３を１ライン読み取り、受光素子毎に白基準データを取得する（Ｓ５４）。ＣＰＵ１１は、取得された白基準データをＡＦＥ１６により階調値に変換し、最大階調値ＷＫｍａｘを最大階調値Ｋｍａｘと比較する（Ｓ５６）。
【００４１】
ＣＰＵ１１は、白基準階調データの最大階調値ＷＫｍａｘがＡＦＥ１６の最大階調値Ｋｍａｘ以上である場合（Ｓ５６でＹＥＳ）、点灯時間Ｔを基準時間ＫＴだけ短縮し（Ｓ５８）、Ｓ５４からの処理を繰り返す。一方、ＣＰＵ１１は、白基準階調データの最大階調値ＷＫｍａｘがＡＦＥ１６の最大階調値Ｋｍａｘよりも小さい場合（Ｓ５６でＮＯ）、当該点灯時間Ｔを光源３１及び光源４１の同時点灯における光源３１の点灯時間Ｔ３としてＲＡＭ１３に記憶し（Ｓ６０）、当該処理を終了する。
【００４２】
次に、ＣＰＵ１１は、光源３１及び光源４１の同時点灯における光源４１の光量を調整する（Ｓ３８）。この調整は、光源３１及び光源４１を同時に点灯させた状態で、つまり、光源３１及び光源４１を同一の点灯時間Ｔで点灯させた状態で行われる。なお、光源３１及び光源４１の同時点灯における光源４１の光量調整処理は、光源３１及び光源４１の同時点灯における光源３１の光量調整処理と基本的に同じ処理であり、重複した説明を省略する。この調整により、光源３１及び光源４１の同時点灯における光源４１の点灯時間Ｔ４がＲＡＭ１３に記憶される。なお、光源同時点灯時の調整は、各Ｔ３、Ｔ４が決まってから再調整することで実読取時の光量に合わせ込む。
【００４３】
光源３１、４１の光量調整処理が終了すると、ＣＰＵ１１は、駆動回路１７を用いて搬送部２８を駆動し、給紙トレイ２に載置された原稿Ｇの搬送を開始する（Ｓ４）。ＣＰＵ１１は、原稿Ｇの搬送開始後、リヤセンサ２７を用いて搬送経路２２を搬送される原稿Ｇの位置を確認し、原稿Ｇの搬送方向の先端が位置Ｐ１に到達するのを待機する（Ｓ６でＮＯ）。
【００４４】
ＣＰＵ１１は、図３に示すように、原稿Ｇの搬送方向の先端が位置Ｐ１に到達すると（Ｓ６でＹＥＳ）、光源３１、４１を点灯させる。図１１に示すように、ＣＰＵ１１は、光源３１、４１を点灯させる際、１ライン周期ＴＳで点灯と消灯を繰り返す。ＣＰＵ１１は、原稿Ｇの搬送方向の先端が位置Ｐ１に到達すると、光源３１及び光源４１を１ライン周期ＴＳのうち点灯時間Ｔ３に亘って発光させる。
【００４５】
ＣＰＵ１１は、図９に示すように、原稿Ｇの搬送方向の先端が位置Ｐ２に到達し、搬送経路２２を搬送される原稿Ｇが第１状態Ｚ１となると、ＣＩＳ３０による原稿Ｇの読み取りを開始する。なお、原稿Ｇの搬送方向の先端が位置Ｐ２に到達したか否かは、原稿Ｇの搬送方向の先端が位置Ｐ１に到達後、搬送経路２２を搬送される原稿Ｇの搬送速度と、及び搬送経路２２における位置Ｐ１と位置Ｐ２の間の距離とによって決定される搬送時間が経過したか否かによって判断される。原稿Ｇの搬送方向の先端が位置Ｐ３に到達する場合も同様であり、原稿Ｇの搬送方向の後端が位置Ｐ１に到達後、位置Ｐ２、Ｐ３に到達する場合も同様である。
【００４６】
また、ＣＰＵ１１は、原稿Ｇの搬送方向の先端が位置Ｐ３に到達するのを待機する（Ｓ１０でＮＯ）。ＣＰＵ１１は、図１０に示すように、原稿Ｇの搬送方向の先端が位置Ｐ３に到達し（Ｓ１０でＹＥＳ）、搬送経路２２を搬送される原稿Ｇが第１状態Ｚ１から第２状態Ｚ２に切り換わると、光源３１、４１の点灯時間Ｔを変更する。ＣＰＵ１１は、第２状態Ｚ２において、光源３１を点灯時間Ｔ１に亘って発光させるとともに、光源４１を点灯時間Ｔ２に亘って発光させる（Ｓ１２）。また、ＣＰＵ１１は、ＣＩＳ４０による原稿Ｇの読み取りを開始する。
【００４７】
ＣＰＵ１１は、第２状態Ｚ２において、ＣＩＳ３０、４０を用いて原稿Ｇの両面を読み取る。また、ＣＰＵ１１は、原稿Ｇの搬送方向の後端が位置Ｐ２に到達するのを待機する（Ｓ１４でＮＯ）。ＣＰＵ１１は、原稿Ｇの搬送方向の後端が位置Ｐ２に到達し（Ｓ１４でＹＥＳ）、搬送経路２２を搬送される原稿Ｇが第２状態Ｚ２から再び第１状態Ｚ１に切り換わると、光源３１、４１の点灯時間Ｔを変更する。ＣＰＵ１１は、第１状態Ｚ１において、光源３１及び光源４１を点灯時間Ｔ４に亘って発光させる（Ｓ１６）。また、ＣＰＵ１１は、ＣＩＳ３０による原稿Ｇの読み取りを終了する。
【００４８】
次に、ＣＰＵ１１は、原稿Ｇの搬送方向の後端が位置Ｐ３に到達するのを待機する（Ｓ１８でＮＯ）。ＣＰＵ１１は、原稿Ｇの搬送方向の後端が位置Ｐ３に到達すると（Ｓ１８でＹＥＳ）、光源３１、４１を消灯させる（Ｓ２０）。また、ＣＰＵ１１は、ＣＩＳ４０による原稿Ｇの読み取りを終了し、読取部２４による原稿Ｇの読み取りを終了する。ＣＰＵ１１は、原稿Ｇを排紙トレイ４に排紙後、駆動回路１７を用いて搬送部２８を停止し（Ｓ２２）、読取処理を終了する。
【００４９】
４．本実施形態の効果
（１）本実施形態の画像読取装置１では、ＣＩＳ３０とＣＩＳ４０が搬送経路２２を挟んでお互いにずれた位置に設けられており、ＣＩＳ３０が原稿を読み取る位置Ｐ２と、ＣＩＳ４０が原稿を読み取る位置Ｐ３が、搬送経路２２の異なる位置に設定されている。そのため、ＣＩＳ３０が位置Ｐ２において原稿Ｇを読み取る際、つまり原稿Ｇが位置Ｐ２に存在する際に、原稿Ｇが位置Ｐ３に存在しない第１状態Ｚ１と、原稿Ｇが位置Ｐ３に存在する第２状態Ｚ２の２つの状態が発生し得る。
【００５０】
原稿Ｇが位置Ｐ３に存在する第２状態Ｚ２では、光源４１から照射される光が原稿Ｇによって遮られる。その一方、原稿Ｇが位置Ｐ３に存在しない第１状態Ｚ１では、光源４１から照射される光が原稿Ｇによって遮られず、光源４１から照射された光の一部がＣＩＳ３０の受光部３２で受光される。そのため、第１状態Ｚ１と第２状態Ｚ２で、光源３１から照射される光量が等しいとすると、第１状態Ｚ１において受光部３２で受光される光量が第２状態Ｚ２において受光部３２で受光される光量よりも増加してしまい、第１状態Ｚ１と第２状態Ｚ２の切り換わりに応じてＣＩＳ３０によって読み取られる読取データにムラが発生してしまう。
【００５１】
図１１に、画像読取装置１の第１状態Ｚ１及び第２状態Ｚ２における光源３１、４１の点灯時間Ｔを比較して示す。本実施形態では、第１状態Ｚ１、すなわち光源３１及び光源４１から同時に点灯される場合の光源３１の点灯時間Ｔ３が、第２状態Ｚ２、すなわち光源３１のみから点灯される場合の光源３１の点灯時間Ｔ１よりも短くなるように調整する。つまり、第１状態Ｚ１で光源３１から照射される光量が、第２状態Ｚ２で光源３１から照射される光量よりも少なくなるように調整する。同様に、第１状態Ｚ１で光源４１から照射される光量が、第２状態Ｚ２で光源４１から照射される光量よりも少なくなるように調整する。これによって、第１状態と第２状態において受光部３２、４２が受光する光量に差が生じることが抑制され、読取データにムラが発生することを抑制することができる。
【００５２】
（２）本実施形態の画像読取装置１では、第１状態Ｚ１における光源３１の点灯時間Ｔ３を、光源３１、４１を同時に点灯させた状態で調整し、第２状態Ｚ２における光源３１の点灯時間Ｔ１を、光源３１を点灯し、光源４１を消灯した状態で調整する。つまり、この画像読取装置１では、第１状態Ｚ１では、光源３１、４１から照射される光が受光部３２、４２で受光されることから、第１光源と第２光源を同時に点灯させて調整する。また、第２状態Ｚ２では、光源４１から照射される光が受光部３２で受光されず、光源３１から照射される光が受光部４２で受光されないことから、第１光源と第２光源を別々に点灯させて調整する。そのため、搬送経路２２を搬送される原稿Ｇの状態に応じた光の照射状態を考慮して、各状態における光源３１、４１の光量を調整することができる。
【００５３】
＜実施形態２＞
実施形態２を、図１２を用いて説明する。本実施形態では、第１状態Ｚ１における光源３１、４１の点灯時間Ｔの光量調整処理が、実施形態１と異なる。以下の説明では、実施形態１と同一の内容については重複した記載を省略する。
【００５４】
１．光量調整処理
図１２に示すように、第１状態Ｚ１における光源３１の光量調整処理において、ＣＰＵ１１は、光源３１、４１の点灯時間Ｔを、最大時間Ｔｍａｘに設定し（Ｓ５２）、受光部３２の各受光素子を用いて白基準データを取得する（Ｓ５４）。ＣＰＵ１１は、取得された白基準データをＡＦＥ１５により階調値に変換し、各受光素子の階調値を平均した平均階調値ＷＫａｖｅを最大階調値Ｋｍａｘと比較する（Ｓ６２）。
【００５５】
ＣＰＵ１１は、白基準階調データの平均階調値ＷＫａｖｅがＡＦＥ１６の最大階調値Ｋｍａｘ以上である場合（Ｓ６２でＹＥＳ）、点灯時間Ｔを基準時間ＫＴだけ短縮し（Ｓ５８）、Ｓ５４からの処理を繰り返す。一方、ＣＰＵ１１は、白基準階調データの平均階調値ＷＫａｖｅがＡＦＥ１５の最大階調値Ｋｍａｘよりも小さい場合（Ｓ６２でＮＯ）、当該点灯時間Ｔを第１状態Ｚ１における光源３１の点灯時間Ｔ３としてＲＡＭ１３に記憶し（Ｓ６０）、当該処理を終了する。なお、第１状態Ｚ１における光源４１の点灯時間Ｔ４の調整も同様である。また、白基準階調データの平均階調値ＷＫａｖｅは、必ずしも全データに対して行う必要はない。
【００５６】
２．本実施形態の効果
本実施形態の画像読取装置１では、第１状態Ｚ１において光源３１、４１から照射される光量を、受光部３２、４２の各受光素子が受光した受光量の平均値に基づいて調整する。この画像読取装置によれば、搬送経路２２の逆側に配置されたＣＩＳの光源から照射される光による影響を考慮しつつ、原稿Ｇを読み取った際に受光素子が受光する光量の平均値が各受光部３２、４２においてオーバーフローすることを抑制することができる。
【００５７】
＜他の実施形態＞
本発明は上記記述及び図面によって説明した実施形態に限定されるものではなく、例えば次のような種々の態様も本発明の技術的範囲に含まれる。
（１）上記実施形態では、画像読取装置１を用いて説明を行ったが、本発明はこれに限られない。原稿Ｇを読み取る画像読取機能を有し、その他にプリンタ機能、スキャナ機能、コピー機能、ファクシミリ機能等の少なくとも１つの機能を有する複合機であっても良い。
【００５８】
（２）上記実施形態では、読取部２４の一対のＣＩＳ３０，４０が搬送経路２２を挟んで互いにずれた位置に設けられている。しかし、一対のＣＩＳ３０，４０が、搬送経路２２の搬送方向において対向する位置に配置されていても良い。例えば、ＣＩＳ３０において、受光部３２が光源３１より上流側に配置されており、ＣＩＳ４０において、受光部４２が光源４１より下流側に配置されている場合、一対のＣＩＳ３０，４０が、搬送経路２２の搬送方向において対向する位置に配置されていても、ＣＩＳ３０が原稿を読み取る位置Ｐ２と、ＣＩＳ４０が原稿を読み取る位置Ｐ３を搬送経路２２の異なる位置に設定することができる。このようにＣＩＳ３０，４０を配置することで、読取部２４を小型化して形成することができる。
【００５９】
（３）上記実施形態では、ＡＳＩＣ１０は、１つのＣＰＵ１１を備え、その１つのＣＰＵ１１により画像読取処理が実行される構成であった。しかし、複数のＣＰＵ１１により画像読取処理が実行される構成でもよい。例えばデバイス制御処理、画像処理、駆動処理を別々のＣＰＵ１１に実行させる構成でもよい。
【００６０】
（４）上記実施形態では、ＣＩＳ３０、４０の搬送経路２２側に載置される透過部材を、プラテンガラス３４、４４を用いて説明したが、その材質は特に限定されず、透過率の比較的高いプラスチック等でも良い。
【００６１】
（５）上記実施形態では、読取部２４が一対のＣＩＳ３０，４０を含んで構成される例を用いて説明を行ったが、ＣＩＳ３０，４０は読取部２４を構成する読取デバイスの一例である。読取デバイスは、ＣＣＤ（Ｃｈａｒｇｅ  Ｃｏｕｐｌｅｄ  Ｄｒｉｖｅ  Ｉｍａｇｅ  Ｓｅｎｓｏｒ）を含んで構成されていても良い。
【符号の説明】
【００６２】
１：画像読取装置、１０：ＡＳＩＣ、１１：ＣＰＵ、１５：デバイス制御部、１６：ＡＦＥ、１７：駆動回路、２２：搬送経路、２４：読取部、２８：搬送部、３０、４０：ＣＩＳ、３１、４１：光源、３２、４２：受光部、３３、４３：白基準板、３４、４４：プラテンガラス、５０：光源制御部、Ｇ：原稿、Ｔ：点灯時間、Ｚ１：第１状態、Ｚ２：第２状態
【図１】
0005779993.tif 000002
【図２】
0005779993.tif 000003
【図３】
0005779993.tif 000004
【図４】
0005779993.tif 000005
【図５】
0005779993.tif 000006
【図６】
0005779993.tif 000007
【図７】
0005779993.tif 000008
【図８】
0005779993.tif 000009
【図９】
0005779993.tif 000010
【図１０】
0005779993.tif 000011
【図１１】
0005779993.tif 000012
【図１２】
0005779993.tif 000013